(57)【特許請求の範囲】
【請求項１】
内部に球技用ボールの収納空間を形成するように包装箱シートの折り曲げによって包装箱の上壁、下壁、左側壁及び右側壁が形成され、前面に前記球技用ボールの周辺の一部を支持する窓を形成するフラップが設けられた球技用ボール包装箱において、前記窓の上側フラップに対向して前記下壁には、前記下壁の前部から斜め下後方へ延びる板面を形成して前記包装箱に収納された前記球技用ボールの底部を支えるボール支えフラップを設け、前記ボール支えフラップは、前記左右側壁間寸法よりも若干大きい寸法幅を有して前記左右側壁間に挿入保持された状態で前記下壁から浮いた状態を保ち、前記板面には、収納された球技用ボールに押されて下方へ変形する弾力面を前記ボール支えフラップの左右中間位置に形成する左右一対の山折りラインを形成したことを特徴とする球技用ボール包装箱。
【請求項２】
内部に球技用ボールの収納空間を形成するように包装箱シートの折り曲げによって包装箱の上壁、下壁、左側壁及び右側壁が形成され、前面に前記球技用ボールの周辺の一部を支持する窓を形成するフラップが設けられた球技用ボール包装箱において、前記上壁よりも前方へ張り出した前記下壁の前部に折り曲げ形成された立ち上がり壁と、この立ち上がり壁の上端から斜め下後方へ延びたボール支えフラップが形成され、前記ボール支えフラップは、前側左右端部から後縁中央部方向へ延びた第１の左右山折りラインと、この第１の山折りラインの中間部と前記後縁間に延びた第２の左右山折りラインを形成して前記左右側壁間寸法よりも若干大きい寸法幅を有し、前記ボール支えフラップが前記左右側壁間に挿入保持されたとき前記ボール支えフラップの後部が前記下壁から浮いた状態に保持され、前記第２の左右山折りライン間を前記包装箱に収納された球技用ボールに押されて下方へ湾曲する弾力面としたことを特徴とする球技用ボール包装箱。
【発明の詳細な説明】
【０００１】
【発明の属する技術分野】
本発明は、バレーボール、サッカーボール、ドッジボール、バスケットボール等の如く、直径の大きな球技用ボールを販売する際のボールの陳列等に適した球技用ボール包装箱に関する。
【０００２】
【従来の技術】
バレーボール、サッカーボール、ドッジボール、バスケットボール等の如く直径の大きな球技用ボールを販売する際、ボールを安定的に陳列するために、ボールの一部分が顧客から見えるような包装箱に収納して陳列する方法が採られている。このような球技用ボール包装箱は、内部に球技用ボールの収納空間を形成するように包装箱シートの折り曲げによって包装箱の上壁、下壁、左側壁及び右側壁が形成され、前面及び後面にはそれぞれ前記球技用ボールの周辺の一部を支持する窓を形成するフラップが設けられた構成である。この種の球技用ボール包装箱に関する先行技術として、実用新案登録第３００１１３６号がある。これは、ボールの下面を包装箱の下壁で支え、ボールの前後の周面の一部を前面及び後面側から包装箱に形成した窓の縁部（湾曲状ボール係止縁８、１２）で支える構成である。
【０００３】
【発明が解決しようとする課題】
前記の先行技術のように、ボールの下面は包装箱の下壁で支えられると、ボールが転がる状態であり不安定であること、またボールの周面の一部をフラップ５ａ、５ｂ、６ａに形成した係止縁８、１２で支える構成とした場合には、フラップの折曲状態によって、或いはフラップの強度が弱ってきたとき、或いは空気不足のボールや若干直径の小さいボールを収納したときには、ボールの支えが不安定になり、箱内でボールが遊ぶ状態となることがある。特に、直径が若干小さいボールの収納にはそのボールの直径に合った包装箱を用意する必要がある。
【０００４】
本発明は、このような問題点に鑑みて、空気不足のボールや若干直径の小さいボールを収納したときにも安定的に包装箱内に保持できる球技用ボール包装箱を提供するものである。
【０００５】
【課題を解決するための手段】
本発明の球技用ボール包装箱は、内部に球技用ボールの収納空間を形成するように包装箱シートの折り曲げによって包装箱の上壁、下壁、左側壁及び右側壁が形成され、前面に前記球技用ボールの周辺の一部を支持する窓を形成するフラップが設けられた球技用ボール包装箱において、前記窓の上側フラップに対向して前記下壁には、前記下壁の前部から斜め下後方へ延びる板面を形成して前記包装箱に収納された前記球技用ボールの底部を支えるボール支えフラップを設け、前記ボール支えフラップは、前記左右側壁間寸法よりも若干大きい寸法幅を有して前記左右側壁間に挿入保持された状態で前記下壁から浮いた状態を保ち、前記板面には、収納された球技用ボールに押されて下方へ変形する弾力面を前記ボール支えフラップの左右中間位置に形成する左右一対の山折りラインを形成したものである。
【０００６】
前記ボール支えフラップは、前記左右側壁間に挿入保持された状態では、前記下壁から浮いた状態にあって、前記上壁と前記ボール支えフラップの間隔は収納する球技用ボールの直径よりも小であり、包装箱に収納された球技用ボールがこの間隔を押し広げるため、前記ボール支えフラップは下方へ変形する。この変形によって球技用ボールは、前記ボール支えフラップの弾力性を受けた状態で前記窓から覗く状態に保持される。このため、直径が多少異なるボールでも安定に保持できる。
【０００７】
また、本発明の球技用ボール包装箱は、内部に球技用ボールの収納空間を形成するように包装箱シートの折り曲げによって包装箱の上壁、下壁、左側壁及び右側壁が形成され、前面に前記球技用ボールの周辺の一部を支持する窓を形成するフラップが設けられた球技用ボール包装箱において、前記上壁よりも前方へ張り出した前記下壁の前部に折り曲げ形成された立ち上がり壁と、この立ち上がり壁の上端から斜め下後方へ延びたボール支えフラップが形成され、前記ボール支えフラップは、前側左右端部から後縁中央部方向へ延びた第１の左右山折りラインと、この第１の山折りラインの中間部と前記後縁間に延びた第２の左右山折りラインを形成して前記左右側壁間寸法よりも若干大きい寸法幅を有し、前記ボール支えフラップが前記左右側壁間に挿入保持されたとき前記ボール支えフラップの後部が前記下壁から浮いた状態に保持され、前記第２の左右山折りライン間を前記包装箱に収納された球技用ボールに押されて下方へ湾曲する弾力面としたものである。
【０００８】
第１の左右山折りラインは、この部分で山折り状態にすることによって、前記支えフラップを前記左右側壁間に挿入し易くすると共に、前記左右側壁間に挿入された前記支えフラップを前記下壁から浮かす作用をする。支えフラップは、前記左右側壁間に挿入保持された状態では前記下壁から浮いた状態にあり、前記上壁と前記支えフラップの間隔は収納する球技用ボールの直径よりも小である。また、前記第２の左右山折りラインの形成によって、包装箱に球技用ボールを収納したとき、この第２の左右山折りラインの外側が前記支えフラップの支持脚として作用するため、この第２の左右山折りライン間が球技用ボールの支え面として有効に機能し、球技用ボールは前記支えフラップの弾力性を受けた状態で前記窓から覗く状態に安定保持される。このため、直径が多少異なるボールでも安定に保持できる。
【０００９】
【発明の実施の形態】
次に、本発明の実施の形態について説明する。各図は本発明の実施の形態を示しており、図１は組み立てた状態の球技用ボール包装箱の正面斜視図、図２は図１のＡ−Ａ断面図、図３は球技用ボール包装箱の前側面部の説明図、図４は球技用ボール包装箱の展開図である。
【００１０】
図において、球技用ボール包装箱１は、内部に球技用ボール１０の収納空間を形成するように包装箱シート２の折り曲げによって包装箱１の上壁３、下壁４、左側壁５及び右側壁６が形成され、前面及び後面にはそれぞれ球技用ボール１０の周面の一部を支持する窓７、８を形成するフラップが設けられている。このよう球技用ボール包装箱１において、前記前面窓７の上側フラップ１１に対向して前記下壁４には、前記下壁４の前部から斜め後方へ延びる板面を形成して前記包装箱１に収納された前記球技用ボール１０の底部を支えるボール支えフラップ１２を設け、前記ボール支えフラップ１２は、前記左右側壁５、６間寸法Ｌ１よりも若干大きい寸法幅Ｌ２を有して前記左右側壁５、６間に挿入保持された状態で前記下壁４から浮いた状態を保ち、前記板面には、収納された球技用ボール１０に押されて下方へ湾曲する弾力面５７を前記ボール支えフラップ１２の左右中間位置に形成する左右一対の山折りライン５６を形成したものである。
【００１１】
これを更に詳細に説明する。包装箱シート２は、その展開状態を図４に示す。これにおいて、上壁３、下壁４、左側壁５及び右側壁６が一連に形成され、折り曲げライン１５、１６、１７で折り曲げ、上壁３の端に形成した接合フラップ１８を折り曲げライン１９で折り曲げ、接合フラップ１８を左側壁５の上端部に沿って接着することによって箱が形成される。
【００１２】
上壁３、下壁４、左側壁５及び右側壁６の後端には、それぞれ後部フラップ２０、２１、２２、２３が形成され、これら各フラップには内方へ湾曲したボール係止縁２４、２５、２６、２７がそれぞれ形成されている。上壁３と下壁４の後部フラップ２０と２１の両側には、それぞれ両端部を窪ませた係止凹部２８とこの係止凹部２８より先端側で側方へ突出した係止突片２９を形成している。また、左側壁５及び右側壁６の後部フラップ２２と２３には、それぞれボール係止縁２６、２７の両側を窪ませた係止凹部３０とこの係止凹部３０の外側辺を構成する係止突片３１を形成している。
【００１３】
後部フラップ２０、２１、２２、２３は、それぞれ折り曲げライン３２、３３、３４、３５で内側方向へ略直角に折り曲げられる。この折り曲げに伴って、各係止凹部２８と３０が噛み合い、この噛み合い状態において、各係止突片２９がそれぞれフラップ２２、２３の外面に位置し、各係止突片３１がそれぞれフラップ２０、２１の外面に位置するように組み合わされる。この場合、各係止突片２９がそれぞれフラップ２２、２３の内面に位置し、各係止突片３１がそれぞれフラップ２０、２１の内面に位置する関係の組み合わせでもよい。この結果、後部フラップ２０、２１、２２、２３のボール係止縁２４、２５、２６、２７の組み合わせによって、包装箱１の後面には、ボール１０の直径よりも小さい周面の一部が嵌まり合う略円形状の窓８が形成される。
【００１４】
上壁３の前端部には、内方へ湾曲したボール係止縁３８を形成した上側フラップ１１が形成され、上側フラップ１１の両側には、それぞれ両端部を窪ませた係止凹部３９とこの係止凹部３９より先端側で側方へ突出した係止突片４０を形成している。また、左側壁５及び右側壁６の前端の上部には、それぞれ前横フラップ４１が形成され、この前横フラップ４１には内方へ湾曲したボール係止縁４２がそれぞれ形成されている。前横ラップ４１の上部には、窪ませた係止凹部４３とこの係止凹部４３より上部には突出した係止突片４４を形成している。
【００１５】
フラップ１１と４１は、それぞれ折り曲げライン４５、４６、４７で内側方向へ略直角に折り曲げられる。この折り曲げに伴って、各係止凹部３９と４３が噛み合い、この噛み合い状態において各係止突片４０がフラップ４１の裏側に位置し、各係止突片４４が、上側フラップ１１の裏側に位置するように組み合わされる。この場合、各係止突片４０がフラップ４１の表側に位置し、各係止突片４４が上側フラップ１１の表側に位置する組み合わせでもよい。この結果、フラップ１１と４１のボール係止縁３８と４２の組み合わせによって、包装箱１の前面には、ボール１０の直径よりも小さい周面の一部が嵌まり合う略円弧状の前面窓７が形成される。
【００１６】
顧客がボール１０を包装箱１の上方及び左右方向から見やすくするために、下壁４は、左右側壁５、６及び上壁３よりも前方へかなり張り出した長さを有し、下壁４の前部には折り曲げライン４９、５０で折り曲げ形成された立ち上がり壁５１と、この立ち上がり壁５１の上端から斜め下後方へ延びたボール支えフラップ１２を形成している。ボール支えフラップ１２は、上側フラップ１１に対向した位置にあり、前側左右端部から後縁５５中央部５３方向へ延びた第１の左右山折りライン５４と、この山折りライン５４の中間部と後縁５５との間に略平行に延びた第２の左右山折りライン５６とを形成している。またボール支えフラップ１２は、左右側壁５、６間寸法Ｌ１よりも若干大きい寸法幅Ｌ２を有しており、ボール支えフラップ１２が左右側壁５、６間に挿入保持されたとき、図２の実線のようにボール支えフラップ１２の後部が下壁４から浮いた状態に保持される。
【００１７】
このような構成によって、球技用ボール１０を収納する前の状態は、上壁３とボール支えフラップ１２の間隔は、収納する球技用ボール１０の直径よりも小である。この状態で、包装箱１に球技用ボール１０が収納されると、この間隔を押し広げるため、ボール支えフラップ１２は下方へ変形する。この状態は、図２の点線で示しており、第２の左右山折りライン５６間が球技用ボール１０に押されて下方へ湾曲状に変形する弾力面５７を構成する。
【００１８】
ボール支えフラップ１２を左右側壁５、６間に保持するために、ボール支えフラップ１２の左右側には、折り曲げライン５９で上方へ折り曲げられる台形状の横フラップ５８が張り出し形成されている。また、左右側壁５、６の前フラップ４１の下方部分は、前方へかなり張り出して張り出し部分６２を形成している。この張り出し部分６２には、折り曲げライン６０でもって張り出し部分６２の内側に折り曲げられる押えフラップ６１が形成されている。
【００１９】
この構成において、横フラップ５８が左右側壁５、６の内側に沿うようにボール支えフラップ１２を左右側壁５、６間に挿入した後、押えフラップ６１を折り曲げライン６０で張り出し部分６２の内側に折り曲げ、押えフラップ６１の先端部に形成した係止突起６３を、ボール支えフラップ１２の左右側の折り曲げライン５９付近に形成した係止孔６４に挿入することによって、ボール支えフラップ１２は、左右側壁５、６間の所定位置、即ち、図２の実線のようにボール支えフラップ１２の後部が下壁４から浮いた状態に保持される。
【００２０】
そして、第２の左右山折りライン５６の外側部分６５は、第２の左右山折りライン５６から外方へ低く傾斜して、ボール支えフラップ１２の支持脚部として作用するため、この第２の左右山折りライン５６、５６間が球技用ボール１０の支え弾力面５７となるように有効に機能し、球技用ボール１０はボール支えフラップ１２の弾力性を受けた状態で窓７、８から覗く状態に安定保持される。また、ボール支えフラップ１２は、斜め下後方へ延びた板面を形成しているため、ボール１０は、後方への付勢力を受けると共に、包装箱１の前面側でのボール１０の展示面が広くなる。この第２の左右山折りライン５６は、弾力面５７の良好な形状保持をする。また、包装箱１の中央部にボール１０を収納するためには、前後の窓７、８と弾力面５７を包装箱１の左右中央部に形成することによって、ボール１０は弾力面５７を下方へ押して形成される湾曲面で保持され、前後の窓７、８によって前後方向の移動が制限された状態で包装箱１内に安定的に保持される。
【００２１】
ボール支えフラップ１２は、左右側壁５、６間寸法Ｌ１よりも若干大きい寸法幅Ｌ２を有しているため、そのままでは左右側壁５、６間に挿入し難い。このため、ボール支えフラップ１２を左右側壁５、６間に挿入するとき、ボール支えフラップ１２を上方へ湾曲させるように第１の左右山折りライン５４部分で山折り状態にすることによって、ボール支えフラップ１２を左右側壁５、６間へ挿入し易くできる。そして、第１の左右山折りライン５４は、ボール支えフラップ１２を左右側壁５、６間へ挿入した状態で、左右側壁５、６間に挿入されたボール支えフラップ１２を下壁４から浮かす作用をする。
【００２２】
包装箱１へのボール１０の収納は、包装箱１の後ろ側から行われる。このボール１０の収納の場合に、後部フラップ２０、２１、２２、２３は折り曲げライン３２、３３、３４、３５で内側方向へ折り曲げられておらず後方へ開いた状態でボール１０を収納する第１の方法と、また他の方法として、後部フラップ２０、２１、２２、２３はそれぞれ折り曲げライン３２、３３、３４、３５で内側方向へ略直角に折り曲げられているが各係止突片２９、３１が、それぞれフラップ２０、２１、２２、２３と係合していない状態でボール１０を収納する第２の方法と、更に他の方法として、後部フラップ２０、２１、２２、２３はそれぞれ折り曲げライン３２、３３、３４、３５で内側方向へ略直角に折り曲げられ各係止突片２９、３１をそれぞれフラップ２０、２１、２２、２３に係合せしめた組み立て状態でボール１０を収納する第３の方法とがある。これらの方法について、以下に説明する。
【００２３】
第１、第２及び第３の何れの方法においても、ボール１０の収納前に、包装箱１の前面側は正規の状態に組み立てられた状態である。この状態において、先ず第１の方法では、後部フラップ２０、２１、２２、２３は折り曲げライン３２、３３、３４、３５で内側方向へ折り曲げられておらず後方へ開いており、この開口を通して包装箱１の後ろ側からボール１０を包装箱１内に収納した後、後部フラップ２０、２１、２２、２３の両端に形成した各係止突片２９、３１を前述のように組み合わせる。
【００２４】
また第２の方法では、各係止突片２９、３１がそれぞれフラップ２０、２１、２２、２３と係合していないが、後部フラップ２０、２１、２２、２３は、それぞれ折り曲げライン３２、３３、３４、３５で内側方向へ略直角に折り曲げられている。この状態において、ボール１０を包装箱１の後方からフラップ２０、２１、２２、２３を前方へ押し広げながら包装箱１内へ押し込む。この押し込みに伴って各係止突片２９、３１と各フラップ２０、２１、２２、２３との係合が始まり、ボール１０の押し込みが終了したときには、フラップ２０、２１、２２、２３の復元力によって係止突片２９、３１と各フラップ２０、２１、２２、２３とが前述のような正規の組み合わせ状態となる。この組み合わせ状態は、収納されたボール１０が裏側の窓８に臨むことによってより正確となる。
【００２５】
更に第３の方法では、各係止突片２９、３１とフラップ２０、２１、２２、２３が正規に係合した組み立て状態において、ボール１０を包装箱１の後方からフラップ２０、２１、２２、２３を前方へ押し広げながら包装箱１内へ押し込む。この押し込みに伴って各係止突片２９、３１と各フラップ２０、２１、２２、２３との係合が一旦緩むが、第２の方法と同様に、ボール１０の押し込みが終了したときには、フラップ２０、２１、２２、２３の復元力によって係止突片２９、３１と各フラップ２０、２１、２２、２３とが前述のような正規の組み合わせ状態に復帰する。この組み合わせ状態は、収納されたボール１０が裏側の窓８に臨むことによってより正確となる。
【００２６】
上記いずれの方法においても、ボール１０が包装箱１に収納された状態では、ボール１０は、ボール支えフラップ１２上に乗って図２の点線で示すように弾力面５７を下方へ変形させ、ボール支えフラップ１２の広い面での支えが得られる。そして、ボール１０は、左右均等に弾力面５７の反発力を受けた状態で保持されるため、前後の窓７と８からボール１０の周面の一部を外部に覗かせた安定保持が達成できる。このため、包装箱１内で左右中央部に安定保持がなされる。
【００２７】
上記の実施形態では、第１の左右山折りライン５４は、前側左右端部からボール支えフラップ１２の後縁中央部方向へ直線状に延びており、また、第２の左右山折りライン５６は、この第１の山折りラインの中間部とボール支えフラップ１２の後縁間に略平行に直線状に延びているが、その位置や形状は、包装箱シート２の材質やボール支えフラップ１２の形状、ボールの重量等によって、弾力面５７によって収納したボール１０に適正な反発力が得られ、ボールが包装箱１内で安定保持できるように、種種の変更がなされる。本発明は、上記実施形態に限定されず、本発明の技術的範囲を逸脱しない限り種種の変更が考えられ、それに係る種種の実施形態を包含するものである。
【００２８】
【発明の効果】
第１請求項の本発明によると、包装箱に収納された球技用ボールは、ボール支えフラップの湾曲した面で弾力性を受けた状態で保持され、包装箱の前面にボールの周面の一部を覗かせた陳列効果を維持しつつ安定保持が達成できる。このため、直径が多少異なるボールでも安定に保持でき、サイズの多少異なるボールの包装箱の共通化が図れる。
【００２９】
第２請求項の本発明によると、第１の左右山折りラインは、この部分で山折り状態にすることによって、支えフラップを左右側壁間に挿入し易くすると共に、左右側壁間に挿入されたボール支えフラップを下壁から浮かす作用をし、第２の左右山折りラインの外側がボール支えフラップの支持脚として作用するため、ボール支えフラップには良好な形状保持と弾力性が得られ、包装箱に収納された球技用ボールは、ボール支えフラップの広い面からの反発力を受けた状態で保持され、窓からボールの周面の一部を外部に覗かせた安定保持が達成できる。
【図面の簡単な説明】
【図１】本発明の組み立てた状態の球技用ボール包装箱の正面斜視図である。
【図２】図１のＡ−Ａ断面図である。
【図３】本発明球技用ボール包装箱の前側面部の説明図である。
【図４】本発明の球技用ボール包装箱の展開図である。
【符号の説明】
１……球技用ボール包装箱
２……包装箱シート
３……上壁
４……下壁
５……左側壁
６……右側壁
７、８……窓
１０…ボール
１１…上側フラップ
１２…ボール支えフラップ
２０、２１、２２、２３…フラップ
４１…前フラップ
５１…立ち上がり壁
５４…第１の山折りライン
５６…第２の山折りライン
５７…弾力面
【図１】
0003969626.tif 000002
【図２】
0003969626.tif 000003
【図３】
0003969626.tif 000004
【図４】
0003969626.tif 000005